(57)【要約】【課題】  長時間座っても疲れにくいうえ、良好な姿勢を保持できる椅子および椅子用パッドを提供する。【解決手段】  椅子用パッド１は、おしりを載せる部分に第１の盛り上がり部４を形成するとともに、ひざの裏に近い部分を載せる部分に第２の盛り上がり部５を形成している。一体に連結された背当てパッド３は、骨盤の後側を支える水平部分６と、脊椎の後ろの部分を支える縦部分７とからなる。【選択図】      図１
2007125106.tif 000002
【特許請求の範囲】
【請求項１】
おしりの部分とひざの裏に近い部分とを支える一方で、それらの間の大腿部後面を圧迫しないように座面が形成されていることを特徴とする椅子。
【請求項２】
脊椎の後ろの部分を支える一方で、その左右両側の部分を圧迫しないように背もたれが形成されていることを特徴とする椅子。
【請求項３】
座面において、おしりを載せる部分に第１の盛り上がり部が形成され、ひざの裏に近い部分を載せる部分に第２の盛り上がり部が形成されているとともに、
背もたれにおいて、脊椎の後ろが接触する部分に第３の盛り上がり部が形成されていることを特徴とする請求項１または２に記載の椅子。
【請求項４】
椅子の座面に敷いて使用するパッドであって、おしりの部分とひざの裏に近い部分とを支える一方で、それらの間の大腿部後面を圧迫しないように形成されていることを特徴とする椅子用パッド。
【請求項５】
おしりを載せる部分に第１の盛り上がり部が形成されているとともに、ひざの裏に近い部分を載せる部分に第１の盛り上がり部より低い第２の盛り上がり部が形成されていることを特徴とする請求項４に記載の椅子用パッド。
【請求項６】
椅子の背もたれに立てかけて使用するパッドであって、脊椎の後ろの部分を支える一方で、その両側の部分を圧迫しないように形成されていることを特徴とする椅子用パッド。
【請求項７】
骨盤の後側に接触する水平部分と、当該水平部分の中央から上方に伸びて脊椎の後ろの部分に接触する縦部分とが一体に形成されているとともに、当該縦部分が、背中に沿う曲面状の表面を含んで形成されていることを特徴とする請求項６に記載の椅子用パッド。
【請求項８】
エアを封入可能な袋で構成されていることを特徴とする請求項４〜７のいずれかに記載の椅子用パッド。
【請求項９】
椅子の座面に敷いて使用するパッドと、背もたれに立てかけて使用するパッドとが連結されていることを特徴とする請求項４〜８のいずれかに記載の椅子用パッド。
【請求項１０】
椅子の座面に敷いて使用するパッドと、背もたれに立てかけて使用するパッドとが、いずれもエアを封入可能な袋で構成されていて、それぞれが別の袋として分離可能に連結されていることを特徴とする請求項４〜９のいずれかに記載の椅子用パッド。
【発明の詳細な説明】
【技術分野】
【０００１】
請求項に係る発明は、長時間座っても疲れにくい椅子（各種のシートや座椅子を含む）および椅子用パッド（クッション）に関するものである。
【背景技術】
【０００２】
一般に、椅子の座面と背もたれは、平面状の面または体に沿うような曲面で形成されている。その一方、例えば、特許文献１に示される椅子のように、シートクッションの前方に幅の狭いクッションを装着して、おしりが前方にすべるのを防止するものもある。
【特許文献１】特開２００３−１４４２６８号公報
【発明の開示】
【発明が解決しようとする課題】
【０００３】
上記のように平面または体に沿うような曲面で形成された座面や背もたれは、座っている人の大腿部後面や背中に広範囲に接触するため、それらの部分を圧迫し筋肉を拘束してしまう。
【０００４】
上記の文献１に記載された椅子においても、すべり防止のクッション以外の部分では座面が平坦に形成されているので、大腿部後面は座面に押しつけられることになる。背もたれも、背中を両側から包み込むように湾曲して形成されているので、背中や肩の筋肉の動きは妨げられてしまう。
筋肉が圧迫され拘束されて動きが悪くなると、その部分の血行も悪くなるため、長時間座り続けると疲れやすいという不都合がある。
【０００５】
このような点を考慮し、本発明は、長時間座っても疲れにくいうえ、良好な姿勢を保持できる椅子および椅子用パッドを提供することを目的とする。
【課題を解決するための手段】
【０００６】
請求項１に記載した椅子は、おしりの部分（尾骨部分。以下同様）とひざの裏に近い部分（大腿部後面の下端付近にある腱（大腿二頭筋腱）の部分。以下同様）とを支える一方で、それらの間の大腿部後面を圧迫しないように座面を形成したことを特徴とする。
このような椅子であれば、大腿部後面の筋肉が圧迫されず拘束されないので、長時間座っていても大腿部の血行が妨げられず、疲れにくい。また、ひざの裏に近い部分が支えられているので、おしりが前方にすべりにくく、良好な姿勢を保持しやすいという効果もある。
【０００７】
請求項２に記載した椅子は、脊椎の後ろの部分を支える一方で、その左右両側の部分（肩甲骨やその周囲の筋肉）を圧迫しないように背もたれを形成したことを特徴とする。
このような椅子であれば、もたれたときに背中や肩の付近が拘束されないので、その周囲の血行が妨げられず、長時間座っていても疲れにくい。
【０００８】
請求項３に記載の椅子は、座面において、おしり（尾骨）を載せる部分に第１の盛り上がり部を形成し、ひざの裏に近い部分を載せる部分に第２の盛り上がり部を形成するとともに、背もたれにおいて、脊椎の後ろが接触する部分に第３の盛り上がり部を形成したことを特徴とする。
なお、盛り上がり部を設けるのではなく、座面において、おしりを載せる部分とひざの裏に近い部分を載せる部分との間に凹み（または切欠き）を形成するとともに、背もたれにおいて、脊椎の後ろが接触する部分の両側に凹み（または切欠き）を形成してもよい。
このような椅子であれば、座ったときに大腿部後面が第１の盛り上がり部と第２の盛り上がり部の間に（または凹み等の上に）浮いた状態で位置するので、座面による圧迫を防ぐことができる。また、背もたれに寄りかかったときに、脊椎の両側の肩甲骨やその周囲の筋肉が背もたれに圧迫されない。したがって、大腿部や背中の血行が妨げられず、長時間座っていても疲れにくい。
【０００９】
請求項４に記載した椅子用パッドは、椅子の座面に敷いて使用するパッド（敷きパッド）であって、おしりの部分とひざの裏に近い部分とを支える一方で、それらの間の大腿部後面を圧迫しないように形成したことを特徴とする。
このような椅子用パッドは、たとえば乗物のシートに載せて使用するとき、請求項１の椅子と同様に、座った人の大腿部後面の圧迫を防ぐ作用をする。また、持ち運びが可能であるため、他の任意の椅子の座面にも載せて使用することができ、同様に好ましい作用をもたらす。
【００１０】
発明の椅子用パッドは、請求項５に記載のように、おしりを載せる部分に第１の盛り上がり部を形成するとともに、ひざの裏に近い部分を載せる部分に第１の盛り上がり部より低い第２の盛り上がり部を形成すると好ましい。おしりを載せる第１の盛り上がり部を第２の盛り上がり部より高く形成しているので、背筋が自然に伸びて良好な姿勢を保持できる。座ったときにパッドが変形するとしても、より大きな荷重のかかるおしり側をひざ側とほぼ同じ高さに支えることができるので、大腿部後面の圧迫を防ぐ作用がもたらされやすい。
【００１１】
請求項６に記載した椅子用パッドは、椅子の背もたれに立てかけて使用するパッド（背当てパッド）であって、脊椎の後ろの部分を支える（その部分に接触する）一方で、その両側の部分を圧迫しない（その部分に接触しがたい）ように形成したことを特徴とする。
このような椅子用パッドは、平面または体に沿った曲面で形成されている背もたれに立てかけることにより、請求項２の椅子と同様に、背もたれに寄りかかった人の背中の筋肉を拘束しない作用をする。また、持ち運びが可能であるため、任意の椅子に使用でき、同様の作用で利用者の疲労を防止することができる。
【００１２】
椅子用パッドは、請求項７に記載のように、骨盤の後側に接触する水平部分と、当該水平部分の中央から上方に伸びて脊椎の後ろの部分に接触する縦部分とを一体に形成するとともに、当該縦部分を、背中に沿う曲面状の表面を含めて形成するのが好ましい。このような椅子用パッドであれば、水平部分が腰を安定化させ、縦部分は脊椎が自然に伸び、姿勢を矯正するように作用する。
【００１３】
請求項８に記載したように、椅子用パッドは、エアを封入可能な袋で構成するとなおよい。軽くて扱いやすいうえ、エアの封入量で硬さを調節することもできるからである。また、持ち運ぶときや保管するときはエアを抜いてコンパクトにできるので、旅行等に便利である。
【００１４】
請求項９に記載した椅子用パッドは、上記いずれかのパッドを使用することとし、椅子の座面に敷いて使用するパッド（敷きパッド）と、背もたれに立てかけて使用するパッド（背当てパッド）とを連結したことを特徴とする。
このような椅子用パッドであれば、敷きパッドと背当てパッドとを任意の椅子に載せて使用した場合、大腿部後面もしくは背中の筋肉または双方の筋肉が圧迫されるのを防ぐことができる。軽いうえ、敷きパッドと背当てパッドを一体に連結しているので、椅子に載せたり使用者が座ったりするときに、パッドの位置を片手でも整えられて扱いやすい。
【００１５】
請求項１０に記載の椅子用パッドは、椅子の座面に敷いて使用するパッド（敷きパッド）と、背もたれに立てかけて使用するパッド（背当てパッド）とが、いずれもエアを封入可能な袋で構成されていて、それぞれが別の袋として分離可能に連結されていることを特徴とする。
この場合、敷きパッドと背当てパッドとが別の袋なので、座る人の重みで封入エアがどちらか一方に偏ることがない。エアをそれぞれに適当量封入してパッドの硬さを調整することも可能である。敷きパッドと背当てパッドとを分離させてそれぞれ単独で使用してもよい。また、保管や運搬に便利なように、エアを抜いて折り畳むこともできる。
【発明の効果】
【００１６】
請求項に係る椅子は、座る人が筋肉（大腿部後面もしくは背中の筋肉または双方の筋肉）を圧迫されず血行を妨げられにくいので、長時間座っても疲れにくい。
【００１７】
請求項に係る椅子用パッドは、通常の任意の椅子に載せて使用することができ、そのとき、請求項に係る椅子と同様の効果をもたらす。エアを封入できる袋で構成するなら、硬さを変えることが可能になり保管や携帯に便利なようになる。
【発明を実施するための最良の形態】
【００１８】
発明による椅子用パッドの一実施形態を、図１〜図４に基づき説明する。
図１は、椅子用パッド１を、座面１２と背もたれ１３が平面状に形成された椅子１１に載せた状態を示す斜視図である。図２はその椅子用パッド１の平面図、図３は、椅子用パッド１について敷きパッド２と背当てパッド３を分離した状態でのそれぞれの正面図、図４は、椅子用パッド１に人が座った状態を示す側面図である。
【００１９】
椅子用パッド１は、図１に示すように、椅子１１の座面１２に置く敷きパッド２と、背もたれ１３に立てかける背当てパッド３とからなる。敷きパッド２と背当てパッド３は、いずれもエアを封入できるビニル素材の袋で形成していて、面ファスナー等の連結具（図示せず）によって分離可能に連結している。エアは、それぞれの袋に設けたエア封入口（図示せず）から封入・排出を行う。
【００２０】
それぞれの袋は、表面がパイル地に加工されている。パイル地は凹凸があるので、座ったときに蒸れにくく、また滑り止めにもなるので快適に使用できる。袋に、汗を吸収する素材のカバーを被せてもよい。
【００２１】
図２、図３に示すように、敷きパッド２は幅４０ｃｍ、奥行き３７ｃｍの長方形で、おしり側に第１の盛り上がり部４、ひざ側に第２の盛り上がり部５を一体に設けている。第１の盛り上がり部４は、奥行き１０ｃｍ、高さ（厚さ）８．５ｃｍ、第２の盛り上がり部５は、奥行き６ｃｍ、高さ（厚さ）５ｃｍで、両方の盛り上がり部４・５間にはさまれた部分の厚さは３ｃｍである。エアが偏るのを防止するために、盛り上がり部４・５間にはさまれた部分で上面と下面とを３ヶ所においてボタン８で留めている。
【００２２】
背当てパッド３は、骨盤の後側を支える水平部６と脊椎の後側を支える縦部７（第３の盛り上がり部）とを逆Ｔ字形になるよう一体に形成している。水平部６は、幅４０ｃｍ、奥行き（厚さ）５ｃｍ、高さ２３．５ｃｍで、やはりエアが偏るのを防止するために、正面と背面とを３ヶ所においてボタン８で留めている。縦部７は、幅８ｃｍ、奥行き（厚さ）５ｃｍ、高さ（水平部６上面からの突出高さ）２５ｃｍで、先端に向けて次第に奥行き（厚さ）を薄くして、脊椎の曲線に沿うようにしている。
【００２３】
椅子用パッド１は、図４に示すように、敷きパッド２の第１の盛り上がり部４でおしり（尾骨・仙骨）を支え、第２の盛り上がり部５でひざ裏に近い部分（大腿部後面の下端付近にある腱の部分）を支える。大腿部後面はその間で浮いた状態になり、圧迫されないので血行が妨げられにくい。第１の盛り上がり部４を第２の盛り上がり部５に比べて高く形成しているので、おしりの側が持ち上げられて背筋が自然に伸ばされる。第２の盛り上がり部５は、おしりが前にすべるのを防止するので、座ったときに安定感を得ることができる。
【００２４】
また、背当てパッド３の水平部６が骨盤の後側を支えるので姿勢が安定する。さらに、縦部７が脊椎の後側を支えるので、その両側の肩甲骨や筋肉は背当てパッド３や背もたれ１３に接触せず、可動範囲が大きくて良好な血行が維持できる。縦部７は先端が反っているので、もたれたときに脊椎が自然に伸び、良い姿勢を保てる。
【００２５】
すなわち、椅子１１に椅子用パッド１を載せると、長時間座っていても血行が妨げられずに疲れないうえ、姿勢の矯正にもなって腰を痛めることがない。
【００２６】
なお、椅子用パッドは、エア封入の袋以外に、低反発ウレタンやスポンジ等の衝撃吸収材、またはその他の軟質材で形成するのもよい。軟らかい場合には、おしりとひざの裏の付近のみに、他の部分よりも硬質の材料を使用するのもよい。また、パッドのサイズも、上記に限定されるものではない。そのほか、上述のような椅子用パッド１を取り付けた場合と同様の軟質の盛り上がり部を有するように椅子を構成することとしても、同様に好ましい作用がもたらされる。
【図面の簡単な説明】
【００２７】
【図１】発明の一実施形態による椅子用パッド１を、平面状の座面１２と背もたれ１３を有する椅子１１に載せた状態を示す斜視図である。
【図２】椅子用パッド１の平面図である。
【図３】図３（ａ）は椅子用パッド１における背当てパッド３の正面図、同（ｂ）は敷きパッド２の正面図である。
【図４】椅子用パッド１を使用している状態を示す側面図である。
【符号の説明】
【００２８】
１  椅子用パッド
２  敷きパッド
３  背当てパッド
４  第１の盛り上がり部
５  第２の盛り上がり部
６  水平部
７  縦部
８  ボタン
１１  椅子
１２  座面
１３  背もたれ
【図１】
2007125106.tif 000003
【図２】
2007125106.tif 000004
【図３】
2007125106.tif 000005
【図４】
2007125106.tif 000006